【手続補正書】
【提出日】平成30年10月3日(2018.10.3)
【手続補正１】
【補正対象書類名】特許請求の範囲
【補正対象項目名】全文
【補正方法】変更
【補正の内容】
【特許請求の範囲】
【請求項１】
携帯端末とサーバーと画像読取機とにより実施される認証方法であって、
前記携帯端末が、所定のＩＤを埋め込んだ画像をディスプレイに表示するステップと、
前記画像読取機が、前記ディスプレイの表示画像を読み取り、読み取った画像を前記サーバーに送信するステップと、
前記サーバーが、前記画像読取機から受信した画像が、前記所定のＩＤを埋め込んだ画像である第１画像であると判断した場合、当該所定のＩＤに対応付けられるトークンを前記携帯端末に送信するステップと、
前記携帯端末が、前記サーバーから受信したトークンと前記所定のＩＤとを埋め込んだ画像を前記ディスプレイに表示するステップと、
前記画像読取機が、前記ディスプレイの表示画像を読み取り、読み取った画像を前記サーバーに送信するステップと、
前記サーバーが、前記画像読取機から受信した画像が、トークン及びＩＤを埋め込んだ画像である第２画像であると判断した場合であって、当該第２画像から抽出したトークンが、前記サーバーが前記携帯端末に送信したトークンと一致すると判断した場合に、前記携帯端末の利用者が所定の手続きをしたと認定するステップと
を有する認証方法。
【請求項２】
前記サーバーは、前記画像読取機から受信した画像が前記第１画像であると判断した場合であって、当該画像から抽出した前記所定のＩＤの認証フラグが未認証である場合に、当該認証フラグを予備認証済みとし、
前記携帯端末は、前記サーバーに前記所定のＩＤを示してトークンを要求し、
前記サーバは、前記要求に対して、前記所定のＩＤの認証フラグが予備認証済みである場合、前記所定のＩＤに対応付けられるトークンを前記携帯端末に送信する
請求項１に記載の認証方法。
【請求項３】
前記サーバーは、
前記認定するステップにおいてトークンが一致すると判断した場合、認証完了を前記画像読取機に通知し、この通知を受けて前記画像読取機は認証ＯＫを報知し、
前記認定するステップにおいてトークンが一致しないと判断した場合、認証拒否を前記画像読取機に通知し、この通知を受けて前記画像読取機は認証ＮＧを報知する
請求項１又は２に記載の認証方法。
【請求項４】
前記画像読取機は、前記サーバーから認証完了または認証拒否の通知が来るまでは、認証中を報知する
請求項３に記載の認証方法。
【請求項５】
前記画像読取機は、前記サーバーから認証完了または認証拒否の通知が来るまでは、前記携帯端末の表示画像を適宜な間隔をおいて繰り返し読み取り、読み取った画像を前記サーバーに逐次送信する
請求項３又は４に記載の認証方法。
【請求項６】
前記携帯端末は、認証処理の開始を受け付けた後、適宜な間隔をおいて前記サーバーに前記所定のＩＤに関連づけた確認要求電文を送信し、
前記サーバーは、前記携帯端末から確認要求電文を受信した際、前記所定のＩＤに対応づけした認証フラグを作成し、ＩＤごとに認証処理の進行に合わせて認証フラグを更新し、
前記携帯端末は、前記認証処理の開始を受け付けた後、前記所定のＩＤを埋め込んだ画像を生成する前に最初の確認要求電文を前記サーバーに送信し、
前記サーバーは、前記携帯端末から確認要求電文を受信した際、前記所定のＩＤの認証フラグが未認証である場合、その旨を伝える電文を返信するとともに、当該認証フラグを予備認証済みにし、
前記携帯端末は、前記サーバーから電文を受信した場合、前記所定のＩＤを埋め込んだ画像を生成する
請求項２に記載の認証方法。
【請求項７】
前記サーバーは、前記携帯端末から確認要求電文を受信した際、前記所定のＩＤの認証フラグが予備認証済みである場合、当該ＩＤに対応付けられるトークンを当該携帯端末に送信するとともに当該ＩＤに対応づけして保存する
請求項６に記載の認証方法。
【請求項８】
前記サーバーは、
前記認定するステップにおいてトークンが一致すると判断した場合、該当ＩＤの認証フラグを認証完了にし、
前記認定するステップにおいてトークンが一致しないと判断した場合、該当ＩＤの認証フラグを認証拒否にする
請求項７に記載の認証方法。
【請求項９】
前記携帯端末は、
前記確認要求電文に対して前記サーバーから認証完了を伝える電文を受信した際、利用者に認証ＯＫを報知し、
前記確認要求電文に対して前記サーバーから認証拒否を伝える電文を受信した際、利用者に認証ＮＧを報知する
請求項８に記載の認証方法。
【請求項１０】
携帯端末及び画像読取機と連携して認証を行うサーバーであって、
前記携帯端末のディスプレイに表示された、所定のＩＤを埋め込んだ画像を読み取った前記画像読取機から、当該読み取った画像を受信する処理部と、
前記画像読取機から受信した画像が、前記所定のＩＤを埋め込んだ画像である第１画像であると判断した場合、当該所定のＩＤに対応付けられるトークンを前記携帯端末に送信する処理部と、
前記携帯端末のディスプレイに表示された、前記所定のＩＤに対応付けられたトークンと前記所定のＩＤとを埋め込んだ画像を読み取った前記画像読取機から、当該読み取った画像を受信する処理部と、
前記画像読取機から受信した画像が、トークン及びＩＤを埋め込んだ画像である第２画像であると判断した場合であって、当該第２画像から抽出したトークンが、前記携帯端末に送信したトークンと一致する場合に、前記携帯端末の利用者が所定の手続きをしたと認定する処理部と、
を有する認証サーバー。
【請求項１１】
画像読取機及びサーバーと連携して認証を行う携帯端末に導入されるプログラムであって、
前記携帯端末に、
所定のＩＤを埋め込んだ画像をディスプレイに表示する処理と、
前記画像読取機により読み取られた前記ディスプレイの表示画像を前記画像読取機から受信した前記サーバーが、当該画像読取機から受信した画像が、前記所定のＩＤを埋め込んだ画像である第１画像であると判断した場合に、前記サーバーから、当該所定のＩＤに対応付けられるトークンを受信する処理と、
前記サーバーから受信したトークンと前記所定のＩＤとを埋め込んだ画像を前記ディスプレイに表示する処理と、
前記ディスプレイの表示画像を読み取り、読み取った画像を前記サーバーに送信した前記画像読取機から、当該画像を受信した前記サーバーが、前記画像読取機から受信した当該画像が、トークン及びＩＤを埋め込んだ画像である第２画像であると判断した場合であって、当該第２画像から抽出したトークンが、前記サーバーが前記携帯端末に送信したトークンと一致すると判断した場合に、前記サーバーから認証完了を伝える電文を受信する処理と、
を実行させる認証プログラム。
【手続補正２】
【補正対象書類名】明細書
【補正対象項目名】００２６
【補正方法】変更
【補正の内容】
【００２６】
画像読取機からの画像読取データを受信した特定サーバーにおいて後述するように処理が進むと、携帯端末上の特定アプリから再送信された確認要求電文に対して特定サーバーは特定アプリにトークン電文を返信することになる。この場合、特定アプリはステップ１０４→１０７と進み、受信したトークンに基づいて生成した第２画像を携帯端末のディスプレイに第１画像に代えて表示する。この第２画像が画像読取機に読み取られ、画像読取データが特定サーバーに送信される。
【手続補正３】
【補正対象書類名】明細書
【補正対象項目名】発明の名称
【補正方法】変更
【補正の内容】
【発明の名称】認証方法、認証サーバー、及び認証プログラム